(57)【要約】      （修正有）【課題】食器棚、本箱、机などの引き出しを持つ家具の引き出しがワンタッチで開閉できる引出し開機能付で、家具用引出し部において取手なしで開く機能を取り付けた家具を提供する。【解決手段】取手なしに迅速的且つ確実に開閉できる引き出し機能をもつ家具において、引き出し機能部の両サイドにスライドレール２を取り付け、引き出し機能部を収納されている家具の前板５で、引き出し機能部と前板５と接する部分の中心部にプッシュラッチ３を設置して、引き出し機能部に取手を取り付けずにワンタッチによって開閉作動ができる。【選択図】図１
0003220422.tif 000002
【実用新案登録請求の範囲】
【請求項１】
取手なしに迅速的且つ確実に開閉できる引き出し機能をもつ家具において、引き出し機能部の両サイドにスライドレールを取り付け、引き出し機能部を収納されている家具の前板で、引き出し機能部と前板と接する部分の中心部にプッシュラッチを設置して、引き出し機能部に取手を取り付けずにワンタッチによって開閉作動ができることを特徴とするワンタッチ型引出し開機能付き家具。
【請求項２】
両サイドにスライドレールを取り付けた引き出し機能部は、奥行き３５０〜４５０ｍｍのスライドテーブル、又は２０ｋｇ以下の重量である引き出し部であって、スライドレールは、幅２５ｍｍ、又は３５ｍｍ、長さ３５０ｍｍ、又は４００ｍｍから選ばれて、家具と引き出し機能部の寸法に沿って、引き出し機能部の下部両サイドに取り付けることを特徴とする請求項１に記載のワンタッチ型引出し開機能付き家具。
【請求項３】
家具の前板に取り付けるプッシュラッチは、引き出し機能部の前板の裏面と接する家具の前板部分の中心位置にして、突出部を１０〜２０ｍｍであって、寸法として幅１０〜２０ｍｍ、長さ５０〜８０ｍｍにして家具内部に挿着できるようなものであり、引き出し機能部に取り付けた両スライドレールに与える摺動を均一になるように取り付けていることを特徴とする請求項１又は請求項２に記載のワンタッチ型引出し開機能付き家具。
【考案の詳細な説明】
【技術分野】
【０００１】本考案は、食器棚、本箱、机などの引き出しを持つ家具の引き出しがワンタッチで開閉できる引出し開機能付き家具に関する。食器棚などの家具用引出し部において、取手なしで開く機能を取り付けた家具に関するものである。
【背景技術】
【０００２】家具の引出し装置は、通常、家具本体に設けた引出し挿入部と、これに対し出入自在の引出しとから構成されており、任意に引出しを開け閉めできるようになっている。しかしながら、一般に家具における引出し装置は、家具を移動させる場合に引出し開け閉め側に傾いたり、引出し開け閉め方向に揺れる等したとき、引出しが家具本体から引出しの持つ慣性力で自然に抜け出て、引出し内部のものが周囲に散乱し、貴重な品物が損傷するばかりか、それらが人体に当たったり、引出し自身が人体や周囲の物に当たる等して人的、物的損傷を招くことがある。【０００３】一般に天井面とその天井面に面する家財道具の上面との間に介在させた転倒防止部材によりこの家財道具の傾斜時にその家財道具を支え得るようにした家財道具の転倒防止具において、家財道具の上面に面する転倒防止部材の下面に設けた貼着面で家財道具の転倒防止具（特許文献１参照）、或いは該引出し抜け出し防止機構は、引出しが対応する引出し挿入部内の所定収納位置に配置された状態で該引出しに家具の振動、揺れ、傾きに起因する抜き出し方向の力が働いても該引出しの抜け出しを防止するように構成されている引出し装置付き耐震性家具（特許文献２参照）などが提案されている。【０００４】一方家具の引き出し部分については、簡単にワンタッチで開閉が可能であれば、家事の種々の作業で同時作業に便利であり、或いは引き出し機能に取手がついていない場合には、幼児などの悪戯も防げることにもなる。スライドレール付き引き出しは一般に使用されているが、同時にプッシュラッチをつけて作動するものは存在していない。【０００５】また、子供が箪笥等の家具を置いた部屋で遊ぶとき、その家具近くでの悪戯等により該家具の内部のものを取り出して、散乱させることもある。子供が直接家具の引き出しの取手に触れるなどして該家具の引出しが抜け出ることがあり、取手がなくて、プッシュラッチによって、引出し機能になるものが期待されている。貴重な品物が損傷するばかりか、それらが子供に当たったり、引出し自身が子供や周囲の物に当たる等して人的、物的損傷を招くことがある。【０００６】家具や家電機器などの平板状の取付部に対する着脱が容易なプッシュラッチ装置の取付構造を提供するにおいて、プッシュラッチ装置を平板部に取付けるための取付構造であって、プッシュラッチ装置のケーシングとして、略円筒状の本体部と、本体部の前端部に形成された環状の鍔部と、本体部の途中部から上下両側へ突出し鍔部との間に平板部が挿通する隙間が形成された係止片とを用いているものが提案されている（特許文献３参照）。【０００７】扉が水平回動自在に取付けられる家具本体にプッシュラッチを取付け、プッシュラッチのマグネット部に対応する位置にて扉の背面側にマグネット部に吸着されるキャッチ受けを取付けると共に、扉の表面側にキャッチ受けとは別体に形成された指で押すための釦を取付けて成る家具の提案もある（特許文献４参照）。【０００８】引き出し機能を持つ家具において、引き出しがワンタッチで開閉が可能であれば、非常に便利である。また引き出し機能に取手がついていない場合には、幼児、高齢者などの無駄な開閉は防げることにもある。スライドレール付き引き出し機能で、同時にプッシュラッチをつけて作動する家具は存在していない。
【先行技術文献】
【特許文献】
【０００９】
【特許文献１】特開２００７−１９５９１１号公報
【特許文献２】登録実用新案第３０３１８０９号公報
【特許文献３】特開平８−９３２９９号公報
【特許文献４】実開昭５９−１０９８７８号公報
【考案の概要】
【考案が解決しようとする課題】
【００１０】本考案は、複数段に引出し装置を備えた家具であって、該引出し装置のうち、抜け出ると危険であり、損傷したりする恐れのある上部の引出し装置については、家具が引出し開け閉め側へ傾いたり、引出し開け閉め方向に揺れる等しても、引出しが抜け出難く、それだけ安全であるとともに、該家具の移動において、該引出しの抜け出る恐れが極めて少なく、それだけ安全に該家具を移動でき、下部の引出しについては、家具の振動、揺れ、傾き等に伴い、引出が抜け出て家具自身の転倒防止に寄与できる側面での引出付き家具を提供することを課題になっている。【００１１】引き出し機能を持つ家具において、引き出しがワンタッチで開閉が可能であれば、非常に便利である。また引き出し機能に取手がついていない場合には、幼児、高齢者などの無駄な開閉は防げることにもある。スライドレール付き引き出し機能で、同時にプッシュラッチをつけて作動する家具は存在していないので、スライドレールとプッシュラッチを同時に取り付けた引き出し機能を持つ家具を提案することが期待されている。【００１２】幼児、高齢者が箪笥等の家具を置いた部屋で直接家具に触れるなどして該家具の引出しが抜け出ることがあり、引出し内部のものが周囲に散乱し、また引出し自身で幼児・子供や周囲の物に当たる物的損傷を招くことがある。食器棚、本箱、机などの引き出しを持つ家具の引き出しがワンタッチで開閉できる引出し開機能付き家具で、食器棚などの家具用引出し部において、取手なしで開く機能を取り付けた家具を創出することを目的としている。
【課題を解決するための手段】
【００１３】取手なしに迅速的且つ確実に開閉できる引き出し機能をもつ家具において、引き出し機能部の両サイドにスライドレールを取り付け、引き出し機能部を収納されている家具の前板で、引き出し機能部と前板と接する部分の中心部にプッシュラッチを設置して、引き出し機能部に取手を取り付けずにワンタッチによって開閉作動ができるワンタッチ型引出し開機能付き家具である。【００１４】両サイドにスライドレールを取り付けた引き出し機能部は、奥行き３５０〜４５０ｍｍのスライドテーブル、及び２０ｋｇ以下の重量である引き出し部であって、スライドレールは、幅２５ｍｍ、又は３５ｍｍ、長さ３５０ｍｍ、又は４００ｍｍから選ばれて、家具と引き出し機能部の寸法に沿って、引き出し機能部の下部両サイドに取り付ける。【００１５】家具の前板に取り付けるプッシュラッチは、引き出し機能部の前板の裏面と接する家具の前板部分の中心位置にして、突出部を１０〜２０ｍｍであって、寸法として幅１０〜２０ｍｍ、長さ５０〜８０ｍｍにして家具内部に挿着できるようなものであり、引き出し機能部に取り付けた両スライドレールに与える変化を均一になるように取り付けている。【００１６】家具本体の引出し部と引出し部に付いた出入の把手を含む引出し装置とを複数段備えた家具において、各引出しの側面に確実にロックする機能と解除機能を持つ開閉装置を引出内部で、上段部の数段に取り付けている。また家具本体の引出し部と引出し部に付いた出入の把手を含む引出し装置とを家具において、各引出の取手を自由な位置に取り付けることができて、各引出しの側面に迅速的に且つ確実にワンタッチ機能を持つ開閉装置を引出内部に取り付けている。
【考案の効果】
【００１７】引き出し機能を持つ家具において、引き出しがワンタッチで開が可能になり、また引き出し機能には取手を付けなくてもよいので、幼児、高齢者などの無駄な開閉騒動も防げる。スライドレール付き引き出し機能で、同時にプッシュラッチをつけて作動する家具は、主婦など簡単にワンタッチで開閉ができるので、家事の種々の作業で同時作業ができた。またスライドレールとプッシュラッチを同時に取り付けた引き出し機能を持つ家具はデザイン的に種々の工夫ができて装飾的にもたらされた。【００１８】また該家具の移動において、該引出しの抜け出る恐れが極めて少なく、それだけ安全に該家具を移動でき、下部の引出しについては、家具の振動、揺れ、傾き等に伴いそれが抜け出て家具転倒防止に寄与できる引出し付き家具を提供できる。またワンタッチ機能を持つ開閉装置は引出の前面に取り付けたり、或は取手と兼用することから、取手の取り付けに制限をもっていたが、この方法によって取手の取り付けに制限がなくなった。
【図面の簡単な説明】
【００１９】
【図１】ワンタッチ型引出し開機能付き家具の引き出した斜視図
【図２】ワンタッチ型引出し開機能付き家具における引出し機構の構造図  Ａ：スライドレール状態、Ｂ：プッシュラッチ状態、Ｃ：ワンタッチ取手なし状態
【図３】食器棚におけるスライドテーブルの取り付け図  Ａ：取り付け前Ｂ：取り付け断面
【図４】ワンタッチ型引出し開機能付き家具の引出し部の引出し受け板の取り付け図  Ａ：閉まった状態正面図Ｂ：ワンタッチで部分的開き状態
【考案を実施するための形態】
【００２０】家具としては、タンス・机・本棚・食器棚等があり、引き出し機能部や扉を用いたものであれば、どのようなものでもよい。スライドレール、プッシュラッチを使用したものであり、引き出しや扉に設けてもよく、家具本体、引き出し機能部、扉と同材でも異材でもよい。
【実施例１】
【００２１】図１に示すように、取手なしに迅速的且つ確実に開閉できる引き出し機能をもつ家具において、
引き出し機能部の両サイドにスライドレールを取り付け、引き出し機能部を収納されている家具の前板で、引き出し機能部と前板と接する部分の中心部にプッシュラッチを設置して、引き出し機能部に取手を取り付けずにワンタッチによって開閉作動ができるワンタッチ型引出し開機能付き家具であった。【００２２】両サイドにスライドレールを取り付けた引き出し機能部は、奥行き４００ｍｍのスライドテーブル、及び２０ｋｇ以下の重量である引き出し部であって、スライドレールは、幅３５ｍｍ、長さ４００ｍｍから選ばれて、家具と引き出し機能部の寸法に沿って、引き出し機能部の下部両サイドに取り付けた。【００２３】家具の前板に取り付けるプッシュラッチは、引き出し機能部の前板の裏面と接する家具の前板部分の中心位置にして、突出部を１５ｍｍであって、寸法として幅１５ｍｍ、長さ６０ｍｍにして家具内部に挿着できるようなものであり、引き出し機能部に取り付けた両スライドレールに与える変化を均一になるように取り付けた。前板を押すだけで簡単に引き出しが部分的に出てきた。
【実施例２】
【００２４】取手なしに迅速的且つ確実に開閉できる引き出し機能をもつ家具において、引き出し機能部の両サイドにスライドレールを取り付け、引き出し機能部を収納されている家具の前板で、引き出し機能部と前板と接する部分の中心部にプッシュラッチを設置して、引き出し機能部に取手を取り付けずにワンタッチによって開閉作動ができるワンタッチ型引出し開機能付き家具であった。【００２５】両サイドにスライドレールを取り付けた引き出し機能部は、奥行き３５０ｍｍのスライドテーブル、及び２０ｋｇ以下の重量である引き出し部であって、スライドレールは、幅２５ｍｍ、長さ３５０ｍｍから選ばれて、家具と引き出し機能部の寸法に沿って、引き出し機能部の下部両サイドに取り付けた。【００２６】家具の前板に取り付けるプッシュラッチは、引き出し機能部の前板の裏面と接する家具の前板部分の中心位置にして、突出部を１０〜２０ｍｍであって、寸法として幅１２ｍｍ、長さ５５ｍｍにして家具内部に挿着できるようなものであり、引き出し機能部に取り付けた両スライドレールに与える変化を均一になるように取り付けた。前板を押すだけで簡単に引き出しが部分的に出てきた。
【符号の説明】
【００２７】１  引出し機能部
２  スライドレール
３  プッシュラッチ
４  ラッチの受け手
５  前板
６  枠桟
７  裏面
８  スライドテーブル
９  食器棚
１０  引き戸
１１  引き出し
１３  開き戸
【図１】
0003220422.tif 000003
【図２】
0003220422.tif 000004
【図３】
0003220422.tif 000005
【図４】
0003220422.tif 000006